(57)【要約】【課題】光源を効率良く冷却可能な照明装置を提供する。【解決手段】照明装置３１は、光源装置ユニット３０Ｌを第１方向にスライド可能に支持する支持部７と、冷却ファンが吐出する空気を流出させる流出口６３１Ａｅ，６３１Ｂｅが形成されたファン収納部６３と、光源装置ユニット３０Ｌに支持された流通装置８Ｌと、を備え、流出口６３１Ａｅ，６３１Ｂｅは、第２方向に沿う方向に開口し、光源装置ユニット３０Ｌは、流出口６３１Ａｅ，６３１Ｂｅに対向する側に開口する流入口９１２ａｉ，９１２ｂｉ、および流入口９１２ａｉ，９１２ｂｉから流入する空気を光源に導く流路を有し、流通装置８Ｌは、所定の位置で、光源装置ユニット３０Ｌとファン収納部６３との間に配置され、流出口６３１Ａｅ，６３１Ｂｅと流入口９１２ａｉ，９１２ｂｉとを連通させる通気孔８１ａｉ，８１ｂｉが形成された移動部８１と、移動部８１を付勢する付勢部と、を備える。【選択図】図４
2017009816.tif 000002
【特許請求の範囲】
【請求項１】
照明装置であって、
光源を有する光源装置ユニットと、
前記光源装置ユニットを第１方向において第１位置から当該光源装置ユニットの所定の位置となる第２位置までスライド可能に支持する支持部と、
冷却ファン、および前記冷却ファンから吐出された空気が流出する流出口が形成された流出部を有する冷却装置と、
前記光源装置ユニットまたは前記流出部に支持され、前記第２位置において、前記流出口から流出する空気を前記光源装置ユニットに流通させる流通装置と、
を備え、
前記光源装置ユニットは、前記第１方向に対して交差する第２方向に沿う方向に開口する流入口、および前記流入口から流入する空気を前記光源に導く流路を有し、
前記流出口は、前記第２位置における前記光源装置ユニットの前記流入口に対向する側に開口し、
前記流通装置は、
前記第２位置において、前記光源装置ユニットと前記流出部との間に配置され、前記流出口と前記流入口とを連通させる通気孔が形成された移動部と、
前記第２方向において、前記移動部を当該流通装置が支持される光源装置ユニットまたは前記流出部から離間する方向に付勢する付勢部と、
を備えることを特徴とする照明装置。
【請求項２】
請求項１に記載の照明装置であって、
前記流通装置は、環状の弾性部材をさらに備え、
前記弾性部材は、
前記流通装置が支持された前記光源装置ユニットまたは前記流出部と、前記移動部との間に配置され、一方側の端部が前記通気孔の周縁を囲み、他方側の端部が前記流入口の周縁または前記流出口の周縁を囲むことを特徴とする照明装置。
【請求項３】
請求項１または請求項２に記載の照明装置であって、
前記流通装置は、前記光源装置ユニットに支持され、
前記流出部は、前記第２位置における前記移動部に対向する流出面を有し、当該流出面に前記流出口が形成され、
前記流出面は、前記光源装置ユニットが前記第１位置から前記第２位置に向かってスライドされる際に、対向する位置が奥側になる程、前記光源装置ユニット側に飛び出すように、第１方向に対して傾斜していることを特徴とする照明装置。
【請求項４】
請求項１または請求項２に記載の照明装置であって、
前記流通装置は、前記流出部に支持され、
前記移動部は、前記光源装置ユニットに対向する平面を有し、当該平面に前記通気孔が形成され、
前記平面は、前記光源装置ユニットが前記第１位置から前記第２位置に向かってスライドされる際に、対向する位置が奥側になる程、前記光源装置ユニット側に飛び出すように、第１方向に対して傾斜していることを特徴とする照明装置。
【請求項５】
請求項１〜請求項４のいずれか一項に記載の照明装置であって、
前記光源装置ユニットは、
前記第１位置において前記支持部から取り外し可能に構成され、
前記光源、および前記光源を収納し、前記流路を有する光源用筐体を備える光源装置と、
前記光源装置を保持し、前記流入口を有する保持部と、
を備えることを特徴とする照明装置。
【請求項６】
請求項５に記載の照明装置であって、
前記保持部は、前記光源の光軸が前記第２方向に沿うように、前記光源装置を保持することを特徴とする照明装置。
【請求項７】
請求項６に記載の照明装置であって、
前記光源装置ユニットは、複数の前記光源装置を備え、
前記複数の前記光源装置は、同一側に光を射出し、前記第１方向および前記第２方向に交差する第３方向から見て、前記第１方向に沿って前記保持部に保持され、
前記流入口は、前記複数の前記光源装置それぞれの前記流路に対応して複数設けられ、
前記通気孔および前記流出口は、前記複数の前記流入口にそれぞれ対応して複数設けられていることを特徴とする照明装置。
【請求項８】
請求項７に記載の照明装置であって、
前記複数の前記流出口は、前記第１方向から見て、前記第３方向において少なくとも一部が重なるように配設されていることを特徴とする照明装置。
【請求項９】
請求項１〜請求項８のいずれか一項に記載の照明装置であって、
前記光源装置ユニットから射出された光を反射する反射部を備えることを特徴とする照明装置。
【請求項１０】
請求項１〜請求項９のいずれか一項に記載の照明装置と、
前記照明装置から射出された光を変調する光変調装置と、
前記光変調装置にて変調された光を投写する投写光学装置と、
を備えることを特徴とするプロジェクター。
【請求項１１】
光源装置が取り付けられる光源装置支持具であって、
前記光源装置を保持する保持部と、
前記保持部に支持される流通装置と、
を備え、
前記保持部は、当該光源装置支持具が第１方向に沿ってスライド可能に係合される係合部、および前記第１方向に対して交差する第２方向に沿う方向に開口する流入口を有し、
前記流通装置は、
前記保持部の前記光源装置とは反対側に配置され、前記流入口に連通する通気孔が形成された移動部と、
前記第２方向において、前記移動部を前記保持部から離間させる方向に付勢する付勢部と、
を備えることを特徴とする光源装置支持具。
【請求項１２】
請求項１１に記載の光源装置支持具と、
前記保持部の前記移動部とは反対側に設けられ、前記流入口に連通する流路が形成された流路形成部と、
を備えることを特徴とする光源カートリッジ。
【発明の詳細な説明】
【技術分野】
【０００１】
本発明は、照明装置、プロジェクター、光源装置支持具、および光源カートリッジに関する。
【背景技術】
【０００２】
従来、光源から射出された光を画像情報に応じて変調し、変調した光をスクリーン等の投写面に投写するプロジェクターが知られている。また、より明るい画像を投写するために複数の光源を備え、この光源を冷却するように構成した装置が提案されている（例えば、特許文献１参照）。
【０００３】
特許文献１に記載の装置（ランプユニット）は、筺体構造を形成するランプファンベース、一対のランプケース、およびファンベースを備える。
一対のランプケースそれぞれには、ランプが収納された２連のランプホルダーが配置されている。そして、一対のランプケースは、ランプファンベースに収納され、それぞれが独立してスライド可能に構成されている。また、各ランプホルダーそれぞれには、ランプ側ダクトが設けられている。
ファンベースは、ランプファンベースの外側に配置され、４つの送風ファン、および各送風ファンに対応する４つのファン側ダクトが載置されている。４つの送風ファンは、４つのランプホルダーにそれぞれ対応して配置され、４つのファン側ダクトは、４つのランプホルダーそれぞれのランプ側ダクトと連通可能に構成されている。そして、ファンベースは、支軸部においてランプファンベースと結合し、支軸部を中心として回動可能に構成されている。
ランプユニットは、ファンベースがランプケースに最も近接した位置（送風配置）でランプ側ダクトとファン側ダクトとが嵌合し、ファンベースが送風位置から回動され、ファンベースがランプケースから離間した位置（退避配置）でランプ側ダクトとファン側ダクトとの嵌合が外れるように構成されている。すなわち、ランプユニットは、ランプホルダーの交換等の際に、ファンベースを退避位置した後に、ランプケースをスライドさせるように構成されている。
【先行技術文献】
【特許文献】
【０００４】
【特許文献１】特開２０１３−２１８１０１号公報
【発明の概要】
【発明が解決しようとする課題】
【０００５】
しかしながら、特許文献１に記載の技術では、ランプユニットが搭載されるプロジェクター等にファンベースを回動させるための機構や操作部、および回動のためのスペースを設ける必要がある。すなわち、特許文献１に記載の技術では、プロジェクター内におけるファンベースの周囲の構造に制約が生じることや、プロジェクターが大型化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る照明装置は、照明装置であって、光源を有する光源装置ユニットと、前記光源装置ユニットを第１方向において第１位置から当該光源装置ユニットの所定の位置となる第２位置までスライド可能に支持する支持部と、冷却ファン、および前記冷却ファンから吐出された空気が流出する流出口が形成された流出部を有する冷却装置と、前記光源装置ユニットまたは前記流出部に支持され、前記第２位置において、前記流出口から流出する空気を前記光源装置ユニットに流通させる流通装置と、を備え、前記光源装置ユニットは、前記第１方向に対して交差する第２方向に沿う方向に開口する流入口、および前記流入口から流入する空気を前記光源に導く流路を有し、前記流出口は、前記第２位置における前記光源装置ユニットの前記流入口に対向する側に開口し、前記流通装置は、前記第２位置において、前記光源装置ユニットと前記流出部との間に配置され、前記流出口と前記流入口とを連通させる通気孔が形成された移動部と、前記第２方向において、前記移動部を当該流通装置が支持される光源装置ユニットまたは前記流出部から離間する方向に付勢する付勢部と、を備えることを特徴とする。
【０００８】
この構成によれば、照明装置は、第１方向にスライドされることによって支持部に着脱される光源装置ユニット、および、光源装置ユニットまたは冷却装置の流出部に支持される流通装置を備える。流通装置は、第２位置において、光源装置ユニットと流出部との間に配置される移動部を備え、この移動部には、第２位置において、冷却装置の流出口と光源装置ユニットの流入口とを連通させる通気孔が形成されている。また、流出口、通気孔および流入口は、第２方向に沿う方向に開口している。すなわち、照明装置は、冷却装置から送風される空気の方向と光源装置ユニットが着脱されるためにスライドされる方向とが交差するように構成されている。そして、流通装置は、移動部を付勢する付勢部を備えている。これによって、光源装置ユニットが第１位置から第２位置にスライドされた際に、移動部を流出部または光源装置ユニットに当接させると共に、移動部と光源装置ユニットとの間、または移動部と流出部との間の隙間を小さくすることが可能となる。すなわち、流通装置が設けられていない構成においては、光源装置ユニットをスライド可能とするために、光源装置ユニットと光源装置ユニットが収納される部位との間にクリアランスを設ける必要があるため、流出口と流入口との間に隙間が生じやすくなるが、本適用例の構成によれば、この隙間を抑制することが可能となる。よって、冷却装置から送風される空気の漏れを抑制し、光源装置ユニットに送風することが可能となる。したがって、光源装置ユニットが着脱されるためにスライドされる方向と、冷却装置から送風される空気の方向とが交差する方向となる構成を有し、冷却装置が送風する空気を有効に利用して光源を冷却することが可能な照明装置を提供することができる。
また、移動部は、光源装置ユニットがスライドされることで移動するので、この照明装置が搭載されるプロジェクター等の機器内に移動部を移動させるための機構や操作部を設ける必要がない。また、移動部は、照明装置の外側に飛び出すことなく、移動量が小さくても上述した効果を奏することが可能となる。よって、機器内における照明装置の周囲の構造に制約を与えることなく、機器の大型化を抑制した照明装置を提供することが可能となる。
【０００９】
［適用例２］上記適用例に係る照明装置において、前記流通装置は、環状の弾性部材をさらに備え、前記弾性部材は、前記流通装置が支持された前記光源装置ユニットまたは前記流出部と、前記移動部との間に配置され、一方側の端部が前記通気孔の周縁を囲み、他方側の端部が前記流入口の周縁または前記流出口の周縁を囲むことが好ましい。
【００１０】
この構成によれば、流通装置は、環状の弾性部材を備える。そして、弾性部材は、流通装置が光源装置ユニットに支持される場合には、光源装置ユニットと移動部との間に配置されて流入口の周縁、および通気孔の周縁を囲み、流通装置が流出部に支持される場合には、流出部と移動部との間に配置されて流出口の周縁、および通気孔の周縁を囲む。これによって、流出口と流入口との間の隙間をさらに抑制することが可能となるので、冷却装置が送風する空気をさらに有効に利用して光源を冷却することが可能となる。
【００１１】
［適用例３］上記適用例に係る照明装置において、前記流通装置は、前記光源装置ユニットに支持され、前記流出部は、前記第２位置における前記移動部に対向する流出面を有し、当該流出面に前記流出口が形成され、前記流出面は、前記光源装置ユニットが前記第１位置から前記第２位置に向かってスライドされる際に、対向する位置が奥側になる程、前記光源装置ユニット側に飛び出すように、第１方向に対して傾斜していることが好ましい。
【００１２】
この構成によれば、流通装置は、光源装置ユニットに支持され、流出部の流出面は上述したように傾斜している。これによって、光源装置ユニットが第１位置から第２位置に向かってスライドされる際に、移動部が途中で流出面に当接し、付勢部による付勢力が徐々に増して第２位置に至るように構成することが可能となる。よって、流通装置が光源装置ユニットに支持される構成であっても、移動部を滑らかに移動させることができるので、光源装置ユニットを第１位置から第２位置に滑らかにスライドさせ、流出口と流入口との間の隙間を小さなものとすることが可能となる。
【００１３】
［適用例４］上記適用例に係る照明装置において、前記流通装置は、前記流出部に支持され、前記移動部は、前記光源装置ユニットに対向する平面を有し、当該平面に前記通気孔が形成され、前記平面は、前記光源装置ユニットが前記第１位置から前記第２位置に向かってスライドされる際に、対向する位置が奥側になる程、前記光源装置ユニット側に飛び出すように、第１方向に対して傾斜していることが好ましい。
【００１４】
この構成によれば、流通装置は、流出部に支持され、移動部の平面は上述したように傾斜している。これによって、光源装置ユニットが第１位置から第２位置に向かってスライドされる際に、光源装置ユニットが途中で平面に当接し、付勢部による付勢力が徐々に増して第２位置に至るように構成することが可能となる。よって、流通装置が流出部に支持される構成であっても、移動部を滑らかに移動させることができるので、光源装置ユニットを滑らかにスライドさせ、流出口と流入口との間の隙間を小さなものとすることが可能となる。
【００１５】
［適用例５］上記適用例に係る照明装置において、前記光源装置ユニットは、前記第１位置において前記支持部から取り外し可能に構成され、前記光源、および前記光源を収納し、前記流路を有する光源用筐体を備える光源装置と、前記光源装置を保持し、前記流入口を有する保持部と、を備えることが好ましい。
【００１６】
この構成によれば、支持部に対してスライド可能とする構成を保持部に設けることができるので、必要以上に強度を高めることなく、また複雑な形状を抑制して光源用筐体を形成することが可能となる。
【００１７】
［適用例６］上記適用例に係る照明装置において、前記保持部は、前記光源の光軸が前記第２方向に沿うように、前記光源装置を保持することが好ましい。
【００１８】
この構成によれば、第２方向に沿って光を射出し、第１方向にスライド可能な光源装置ユニットを備えた照明装置を提供することができる。
【００１９】
［適用例７］上記適用例に係る照明装置において、前記光源装置ユニットは、複数の前記光源装置を備え、前記複数の前記光源装置は、同一側に光を射出し、前記第１方向および前記第２方向に交差する第３方向から見て、前記第１方向に沿って前記保持部に保持され、前記流入口は、前記複数の前記光源装置それぞれの前記流路に対応して複数設けられ、前記通気孔および前記流出口は、前記複数の前記流入口にそれぞれ対応して複数設けられていることが好ましい。
【００２０】
この構成によれば、照明装置は複数の光源装置を備えているので、より明るい光を射出することができる。また、流入口、通気孔および流出口は、複数の光源装置それぞれの流路に対応して複数設けられているので、複数の光源装置にそれぞれ同様に空気を送風し、各光源を同様に冷却することが可能となる。
【００２１】
［適用例８］上記適用例に係る照明装置において、前記複数の前記流出口は、前記第１方向から見て、前記第３方向において少なくとも一部が重なるように配設されていることが好ましい。
【００２２】
この構成によれば、複数の流出口は、上述したように少なくとも一部が重なるように配設されているので、複数の光源装置の第３方向における配置位置に対応して複数の光源装置にそれぞれ同様に空気を送風することが可能となる。
また、流通装置が備えられていない構成においては、複数の流出口が第３方向において重ならないように配設された場合には、流出口の周縁の一部に突出部を設け、この突出部に重なる部位を光源装置ユニット側に設けることで一部の空気の漏れを抑制することは可能となるが、複数の流出口が上述したように重なるように配設された場合には、光源装置ユニットのスライドによって干渉しないように、突出部を形成できる領域が小さくなるため、空気の漏れが増加することとなる。これに対し、本適用例の照明装置は、流通装置を備えるので、流出口の周縁に突出部を設ける必要が無く空気の漏れを抑制することができる。よって、複数の流出口の配設自由度、すなわち複数の光源装置の配置位置の自由度を高め、冷却装置が送風する空気を有効に利用して各光源を冷却できる照明装置の提供が可能となる。
【００２３】
［適用例９］上記適用例に係る照明装置において、前記光源装置ユニットから射出された光を反射する反射部を備えることが好ましい。
【００２４】
この構成によれば、照明装置は反射部を備えるので、光源装置ユニットから射出された光の方向を変えて照明装置外へ射出することができる。
【００２５】
［適用例１０］本適用例に係るプロジェクターは、上記に記載の照明装置と、前記照明装置から射出された光を変調する光変調装置と、前記光変調装置にて変調された光を投写する投写光学装置と、を備えることを特徴とする。
【００２６】
この構成によれば、プロジェクターは、上述した照明装置を備えるので、冷却装置から送風される空気の方向と光源装置ユニットが着脱される方向とが交差する方向となる構成を有すると共に、光源の劣化が抑制されるので、長期に亘る画像の投写が可能となる。
【００２７】
［適用例１１］本適用例に係る光源装置支持具は、光源装置が取り付けられる光源装置支持具であって、前記光源装置を保持する保持部と、前記保持部に支持される流通装置と、を備え、前記保持部は、当該光源装置支持具が第１方向に沿ってスライド可能に係合される係合部、および前記第１方向に対して交差する第２方向に沿う方向に開口する流入口を有し、前記流通装置は、前記保持部の前記光源装置とは反対側に配置され、前記流入口に連通する通気孔が形成された移動部と、前記第２方向において、前記移動部を前記保持部から離間させる方向に付勢する付勢部と、を備えることを特徴とする。
【００２８】
この構成によれば、光源装置を保持した状態で、スライドされることによって、プロジェクター等の機器への着脱が可能な光源装置支持具を提供できる。また、着脱される方向とは交差する方向から送風された空気を光源装置に流通させる光源装置支持具を提供することができる。
また、光源装置支持具は、流通装置を備えるので、機器内の冷却装置から送風された空気を移動部の通気孔および保持部の流入口を介して光源装置に流入させることができる。そして、移動部は、上述したように付勢部によって付勢されているので、機器における光源装置を保持した状態の光源装置支持具が収納される部位と、移動部とを確実に当接させると共に、移動部と保持部との間の隙間を小さくすることが可能となる。
したがって、光源装置を保持し、着脱される方向と、機器内の冷却装置から送風された空気の方向とが交差する方向となり、冷却装置から送風される空気の漏れを抑制して光源装置に流通させる光源装置支持具を提供することが可能となる。
【００２９】
［適用例１２］本適用例に係る光源カートリッジは、上記に記載の光源装置支持具と、前記保持部の前記移動部とは反対側に設けられ、前記流入口に連通する流路を有する流路形成部と、を備えることを特徴とする。
【００３０】
この構成によれば、光源カートリッジは、上述した光源装置支持具および流路形成部を備えるので、プロジェクター等の機器への容易な着脱が可能になるとともに、着脱される方向と交差する方向から送風された空気を流路形成部の流路を介して、光源カートリッジに取り付けられる光源装置内に効率良く流通させ、光源を冷却することが可能となる。
【図面の簡単な説明】
【００３１】
【図１】本実施形態のプロジェクターの概略構成を示す模式図。
【図２】本実施形態の照明装置を上方から見た平面図。
【図３】本実施形態の照明装置の斜視図。
【図４】本実施形態の照明装置を説明するための図。
【図５】本実施形態の光源着脱ユニットを示す斜視図。
【図６】本実施形態の光源着脱ユニットの断面斜視図。
【図７】本実施形態の光源装置の位置関係を説明するための図。
【図８】本実施形態の冷却装置の斜視図。
【図９】本実施形態の保持部および流通装置を説明するための図。
【図１０】本実施形態の光源着脱ユニットが着脱される際の流通装置の動作を説明するための模式図。
【発明を実施するための形態】
【００３２】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、投写面に横長の画像を投写する横置き姿勢、および投写面に対向する側から見て、横置き姿勢から９０°回転され、投写面に縦長の画像を投写する縦置き姿勢が可能に構成されている。
【００３３】
〔プロジェクターの主な構成〕
図１は、本実施形態のプロジェクター１の概略構成を示す模式図である。
プロジェクター１は、図１に示すように、外装を構成する外装筐体２、制御部（図示省略）、および照明装置３１を有する光学ユニット３を備える。なお、図示は省略するが、外装筐体２の内部には、さらに、照明装置３１や制御部等に電力を供給する電源装置、および外装筐体２内を冷却するための吸気ファンや排気ファン、空気を導く部材等が配置されている。また、以下では、説明の便宜上、横置き姿勢のプロジェクター１において、投写面ＳＣ側を＋Ｙ側（前側）、投写面ＳＣに対向する側からみた右側を＋Ｘ側、鉛直方向上側を＋Ｚ側として記載する。
【００３４】
外装筐体２は、詳細な説明は省略するが、複数の部材で構成され、外気を取り込む吸気口、および外装筐体２内部の暖まった空気を外部に排気する排気口等が設けられている。
【００３５】
制御部は、ＣＰＵ（Central Processing Unit）やＲＯＭ（Read Only Memory）、ＲＡＭ（Random Access Memory）等の回路素子が実装された回路基板を有し、コンピューターとして機能するものであり、プロジェクター１の動作の制御、例えば、画像の投写に関わる制御や各種ファンの駆動等の制御等行う。
【００３６】
〔光学ユニットの構成〕
光学ユニット３は、制御部による制御の下、照明装置３１から射出された光を光学的に処理して投写する。
光学ユニット３は、図１に示すように、照明装置３１に加え、インテグレーター照明光学系３２、色分離光学系３３、光学装置３５、投写光学装置としての投写レンズ３６、およびこれらの光学部品３１〜３６を光路上の所定位置に配置する光学部品用筐体３７を備える。
【００３７】
図２は、照明装置３１を上方から見た平面図である。図３は、照明装置３１の斜視図である。なお、図２、図３は、冷却装置６の後述する回路基板６４（図８参照）を省略した図である。
照明装置３１は後で詳細に説明するが、図２、図３に示すように、光源着脱ユニット３００Ｌ，３００Ｒ、反射部５、冷却装置６、および支持部７を備えている。
【００３８】
光源着脱ユニット３００Ｌ，３００Ｒは、それぞれが複数の光源装置を備えており、反射部５を介して対向して配置され、支持部７に対して着脱可能に構成されている。
反射部５は、光源着脱ユニット３００Ｌ，３００Ｒそれぞれから射出された光をインテグレーター照明光学系３２に向けて反射する。
冷却装置６は、複数の冷却ファンを備え、光源着脱ユニット３００Ｌ，３００Ｒにおける光源装置を冷却する。
支持部７は、光学部品用筐体３７に固定され、反射部５および冷却装置６を保持すると共に、光源着脱ユニット３００Ｌ，３００ＲそれぞれをＹ方向にスライド可能に支持する。また、支持部７は、Ｙ方向において、光源着脱ユニット３００Ｌ，３００Ｒがそれぞれ支持部７に載置される第１位置から、光源着脱ユニット３００Ｌ，３００Ｒのそれぞれの所定の位置となる第２位置までの間をスライド可能に支持する。また、光源着脱ユニット３００Ｌ，３００Ｒは、第２位置から−Ｙ方向、すなわち、プロジェクター１の背面側にスライドされ、第１位置において支持部７から取り外される。Ｙ方向は、第１方向に相当する。また、Ｘ方向は第２方向に相当し、Ｚ方向は第３方向に相当する。
【００３９】
図１に戻って、インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、照明装置３１から射出された光を複数の部分光に分割する。第２レンズアレイ３２２は、第１レンズアレイ３２１と略同様の構成を有しており、重畳レンズ３２４とともに、部分光を後述する液晶パネルの表面に略重畳させる。偏光変換素子３２３は、第２レンズアレイ３２２から射出されたランダム光を液晶パネルで利用可能な略１種類の偏光光に揃える機能を有している。
【００４０】
色分離光学系３３は、２枚のダイクロイックミラー３３１，３３２、および反射ミラー３３３〜３３６を備え、インテグレーター照明光学系３２から射出された光を赤色光（以下「Ｒ光」という）、緑色光（以下「Ｇ光」という）、青色光（以下「Ｂ光」という）の３色の色光に分離し、光学装置３５に導く。
【００４１】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備えている。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。
【００４２】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００４３】
投写レンズ３６は、複数のレンズ（図示省略）を有して構成され、クロスダイクロイックプリズム３５２にて合成された光を投写面ＳＣ上に拡大投写する。
【００４４】
〔照明装置の構成〕
ここで、照明装置３１について、詳細に説明する。
図４は、照明装置３１を説明するための図であり、（ａ）は、光源着脱ユニット３００Ｌの斜視図、（ｂ）は、光源着脱ユニット３００Ｌが取り外された状態の照明装置３１の斜視図である。なお、図４（ａ）は、後述する保持部９Ｌのカバー部９２（図３参照）を取り外した状態の図である。
照明装置３１は、前述したように、また、図３、図４に示すように、光源着脱ユニット３００Ｌ，３００Ｒ、反射部５、冷却装置６、および支持部７を備える。
【００４５】
光源着脱ユニット３００Ｌは、光源装置ユニット３０Ｌおよび流通装置８Ｌを備え、支持部７の−Ｘ側に配置される。光源着脱ユニット３００Ｒは、光源装置ユニット３０Ｒおよび流通装置８Ｒを備え、支持部７の＋Ｘ側に配置される。
光源装置ユニット３０Ｌは、図３に示すように、光源装置４１Ａ，４１Ｂ、および光源装置４１Ａ，４１Ｂを保持する保持部９Ｌを備える。光源装置ユニット３０Ｒは、光源装置４２Ａ，４２Ｂ、および光源装置４２Ａ，４２Ｂを保持する保持部９Ｒを備える。すなわち、光源装置ユニット３０Ｌは、保持部９Ｌを介して支持部７に支持され、光源装置ユニット３０Ｒは、保持部９Ｒを介して支持部７に支持される。
【００４６】
図５は、光源着脱ユニット３００Ｌを示す斜視図であり、−Ｘ方向斜めから見た図である。図６は、光源着脱ユニット３００Ｌの断面斜視図である。なお、図５、図６は、保持部９Ｌのカバー部９２を取り外した状態の図である。
光源装置４１Ａ，４１Ｂ，４２Ａ，４２Ｂそれぞれは、図１、図５、図６に示すように、超高圧水銀ランプやメタルハライドランプ等からなる放電型の光源４１１、リフレクター４１２、平行化レンズ４１３、および光源用筐体４３０を備え、光源４１１から射出された光をリフレクター４１２にて反射し、射出方向を揃えて射出する。
【００４７】
光源４１１は、図６に示すように、球状の発光部とこの発光部の両側から延出する一対の封止部とを有する発光管４１１ａ、および一対の封止部から突出する一対の電極４１１ｂ，４１１ｃを有している。そして、光源４１１は、電極４１１ｂがリフレクター４１２の内側に位置するようにリフレクター４１２に固定され、一対の電極４１１ｂ，４１１ｃに電力が供給されることにより発光する。
【００４８】
光源用筐体４３０は、図５、図６に示すように、筐体本体部４４０、および筐体本体部４４０の上側（＋Ｚ側）に位置する流路形成部４５０を有している。
筐体本体部４４０は、図６に示すように、光源４１１およびリフレクター４１２を収納する。流路形成部４５０には、冷却装置６から送風される空気を筐体本体部４４０内の光源４１１に導く流路４５Ｆが形成されている。流路４５Ｆは、＋Ｘ側に開口し、空気が流入する入口４５ｉを有している。
【００４９】
ここで、光源装置４１Ａ，４１Ｂ，４２Ａ，４２Ｂの位置関係について説明する。
図１に戻って、光源装置４１Ａと光源装置４２Ａとは、Ｘ方向において互いに対向する方向に光を射出するように配置される。具体的に、光源装置４１Ａは＋Ｘ方向に光を射出し、光源装置４２Ａは、−Ｘ方向に光を射出する。
光源装置４１Ｂおよび光源装置４２Ｂは、それぞれ光源装置４１Ａおよび光源装置４２Ａの＋Ｙ側に配置され、光源装置４１Ａおよび光源装置４２Ａと同様に、Ｘ方向において互いに対向する方向に光を射出する。
【００５０】
また、４つの光源装置（光源装置４１Ａ，４１Ｂ，４２Ａ，４２Ｂ）は、互いに対向する２つの光源装置、およびＹ方向に並設される２つの光源装置がＺ方向にずれて配置される。
図７は、光源装置４１Ａ，４１Ｂ，４２Ａ，４２Ｂの位置関係を説明するための図である。具体的に、図７（ａ）は、光源装置４１Ａ，４１Ｂ，４２Ａ，４２Ｂそれぞれのリフレクター４１２、反射部５、および冷却装置６における冷却ファン６１Ａ，６１Ｂ，６２Ａ，６２Ｂを示す斜視図、図７（ｂ）は、それぞれのリフレクター４１２、および反射部５を−Ｙ側から見た平面図である。
【００５１】
図７に示すように、光源装置４１Ａと光源装置４２Ａとは、光源装置４１Ａの光軸４１Ａｘが光源装置４２Ａの光軸４２Ａｘより上方に位置するように配置され、光源装置４１Ｂと光源装置４２Ｂとは、光源装置４１Ｂの光軸４１Ｂｘが光源装置４２Ｂの光軸４２Ｂｘより下方に位置するように配置されている。また、上下方向（Ｚ方向）において、光源装置４１Ｂは、光源装置４２Ａと略同じ位置に配置され、光源装置４２Ｂは、光源装置４１Ａと略同じ位置に配置される。
【００５２】
このように、光源装置４１Ａ，４１Ｂは、同一側（＋Ｘ側）に光を射出し、光軸４１Ａｘ，４１ＢｘがＸ方向（第２方向）に沿うように、保持部９Ｌに保持される。また、光源装置４１Ａ，４１Ｂは、Ｚ方向（第３方向）から見て、Ｙ方向（第１方向）に沿って保持部９Ｌに保持される。
光源装置４２Ａ，４２Ｂは、同一側（−Ｘ側）に光を射出し、光軸４２Ａｘ，４２ＢｘがＸ方向（第２方向）に沿うように、保持部９Ｒに保持される。また、光源装置４２Ａ，４２Ｂは、Ｚ方向（第３方向）から見て、Ｙ方向（第１方向）に沿って保持部９Ｒに保持される。
【００５３】
流通装置８Ｌは、図４（ａ）に示すように、移動部８１を備え、保持部９Ｌに支持される。そして、流通装置８Ｌは、光源着脱ユニット３００Ｌが第２位置に位置付けられた状態で移動部８１が光源装置ユニット３０Ｌと冷却装置６との間に配置され、冷却装置６から送風された空気を光源装置４１Ａ，４１Ｂに流通させる。同様に、流通装置８Ｒは、移動部８１を備え、保持部９Ｒに支持される。そして、流通装置８Ｒは、光源着脱ユニット３００Ｒが第２位置に位置付けられた状態で移動部８１が光源装置ユニット３０Ｒと冷却装置６との間に配置され、冷却装置６から送風された空気を光源装置４２Ａ，４２Ｂに流通させる。保持部９Ｌ，９Ｒおよび流通装置８Ｌ，８Ｒについては後で詳細に説明する。
【００５４】
反射部５は、図１、図７に示すように、反射ミラー５１Ａ，５１Ｂ，５２Ａ，５２Ｂ、レンズ体５３Ａ，５３Ｂ、およびこれらの部材を収納する収納部材５４（図３参照）を備える。
反射ミラー５１Ａ，５２Ａは、光源装置４１Ａと光源装置４２Ａとの間に配置される。また、反射ミラー５１Ａ，５２Ａは、光源装置４１Ａ，４２Ａの位置に対応し、反射ミラー５１Ａが反射ミラー５２Ａの上方に配置される。そして、反射ミラー５１Ａ，５２Ａそれぞれは、光源装置４１Ａ，４２Ａから射出された光を＋Ｙ方向に反射する。
【００５５】
反射ミラー５１Ｂ，５２Ｂは、光源装置４１Ｂと光源装置４２Ｂとの間に配置される。また、反射ミラー５１Ｂ，５２Ｂは、光源装置４１Ｂ，４２Ｂの位置に対応し、反射ミラー５１Ｂが反射ミラー５２Ｂの下方に配置される。そして、反射ミラー５１Ｂ，５２Ｂそれぞれは、光源装置４１Ｂ，４２Ｂから射出された光を＋Ｙ方向に反射する。
【００５６】
レンズ体５３Ａは、反射ミラー５１Ａ，５２Ａで反射した光の進行方向を整える機能を有し、レンズ体５３Ｂは、反射ミラー５１Ｂ，５２Ｂで反射した光の進行方向を整える機能を有している。
レンズ体５３Ａは、図７に示すように、平面視矩形状から四隅がカットされた形状を有しており、上下左右に分割された４つの領域のうち、左上の領域にレンズ部５３１ａが設けられ、右下の領域にレンズ部５３２ａが設けられている。また、レンズ部５３１ａは、反射ミラー５１Ａで反射した光が入射する位置に形成され、レンズ部５３２ａは、反射ミラー５２Ａで反射した光が入射する位置に形成されている。なお、レンズ体５３Ａは、上下左右に分割された４つの領域のうち、左下の領域および右上の領域に被レンズ部５３Ａｎを有している。
【００５７】
レンズ体５３Ｂは、レンズ体５３Ａと同様に、平面視矩形状から四隅がカットされた形状を有しており、上下左右に分割された４つの領域のうち、左下の領域にレンズ部５３１ｂ（図示省略）が設けられ、右上の領域にレンズ部５３２ｂが設けられている。また、レンズ部５３１ｂは、反射ミラー５１Ｂで反射した光が入射する位置に形成され、レンズ部５３２ｂは、反射ミラー５２Ｂで反射した光が入射する位置に形成されている。なお、レンズ体５３Ｂは、上下左右に分割された４つの領域のうち、左上の領域および右下の領域に被レンズ部５３Ｂｎを有している。
【００５８】
光源装置４１Ａから射出された光は、反射ミラー５１Ａで反射した後、レンズ部５３１ａおよびレンズ体５３Ｂの被レンズ部５３Ｂｎを透過して第１レンズアレイ３２１の平面視上における左上側の領域に入射する。光源装置４２Ａから射出された光は、反射ミラー５２Ａで反射した後、レンズ部５３２ａおよびレンズ体５３Ｂの被レンズ部５３Ｂｎを透過して第１レンズアレイ３２１の平面視上における右下側の領域に入射する。
【００５９】
光源装置４１Ｂから射出された光は、反射ミラー５１Ｂで反射した後、レンズ部５３１ｂを透過して第１レンズアレイ３２１の平面視上における左下側の領域に入射する。光源装置４２Ｂから射出された光は、反射ミラー５２Ｂで反射した後、レンズ部５３２ｂを透過して第１レンズアレイ３２１の平面視上における右上側の領域に入射する。
このように、光源装置４１Ａ，４１Ｂ，４２Ａ，４２Ｂから射出された光は、第１レンズアレイ３２１における平面視上、上下左右に分割されたような４つの領域それぞれに入射する。
【００６０】
支持部７は、図４（ｂ）に示すように、外形が直方体状に形成されており、内部に反射部５を配置し、上側に冷却装置６を保持する。また、支持部７は、前述したように、光源着脱ユニット３００Ｌ，３００ＲそれぞれをＹ方向にスライド可能に支持する。
支持部７は、−Ｘ側の面に、光源装置４１Ａ，４１Ｂから射出された光が通過する孔７ｈが形成されている。また、支持部７の−Ｘ側の面の上下の端部には、Ｙ方向に沿って延出する突起部７１Ｌが形成されている。
支持部７の＋Ｘ側の面には、−Ｘ側の面と同様に、光源装置ユニット３０Ｒにおける光源装置４２Ａ，４２Ｂから射出された光が通過する孔（図示省略）、およびＹ方向に沿って延出する突起部７１Ｒが形成されている。
【００６１】
冷却装置６は、図４（ｂ）に示すように、反射部５の上方に配置される。
図８は、冷却装置６の斜視図である。
冷却装置６は、図８に示すように、冷却ファン６１Ａ，６１Ｂ，６２Ａ，６２Ｂ、流出部としてのファン収納部６３、および回路基板６４を備える。また、図示は省略するが、ファン収納部６３の下面には、反射部５で反射した光のうち、冷却装置６に向かう光を遮光する遮光板が配置されている。
【００６２】
冷却ファン６１Ａ，６１Ｂ，６２Ａ，６２Ｂは、羽根の回転中心軸に沿う方向から取り込んだ冷却空気を回転接線方向に吐出するシロッコファンであり、図７（ａ）に示すように、光源装置４１Ａ，４１Ｂ，４２Ａ，４２Ｂにそれぞれ対応して設けられている。具体的に、冷却ファン６１Ａは、光源装置４１Ａに冷却空気を送風し、冷却ファン６１Ｂは、光源装置４１Ｂに冷却空気を送風する。そして、冷却ファン６２Ａは、光源装置４２Ａに冷却空気を送風し、冷却ファン６２Ｂは、光源装置４２Ｂに冷却空気を送風する。
【００６３】
そして、冷却ファン６１Ａ，６１Ｂ，６２Ａ，６２Ｂは、吸気口６ｉが反射部５とは反対側（＋Ｚ側）に位置し、吐出口６ｅがそれぞれ冷却対象の光源装置側を向いてＹ方向に沿って配置される。具体的に、４つの冷却ファンは、−Ｙ側から順に、冷却ファン６１Ａ、冷却ファン６２Ａ、冷却ファン６１Ｂ、冷却ファン６２Ｂの順で配置され、冷却ファン６１Ａ，６１Ｂは、それぞれの吐出口６ｅが光源装置４１Ａ，４１Ｂ側を向き、冷却ファン６２Ａ，６２Ｂは、それぞれの吐出口６ｅが光源装置４２Ａ，４２Ｂ側を向いて配置される。
【００６４】
また、図７（ａ）に示すように、冷却ファン６１Ａは、光源装置４１Ａが光源装置４２Ａに対して上側に位置すると同様に、冷却ファン６２Ａの上方に位置し、冷却ファン６２Ａの吸気口６ｉの外側に重なるように配置される。
冷却ファン６１Ｂは、光源装置４１Ｂが光源装置４２Ｂに対して下側に位置すると同様に、冷却ファン６２Ｂの下方に位置し、吸気口６ｉの外側に冷却ファン６２Ｂが重なるように配置される。
また、冷却ファン６２Ａと冷却ファン６１Ｂとは、Ｙ方向において離間して配置され、Ｚ方向において、冷却ファン６１Ａと冷却ファン６２Ｂとは、略同じ位置に配置され、冷却ファン６１Ｂと冷却ファン６２Ａとは、略同じ位置に配置されている。
【００６５】
ファン収納部６３は、図８に示すように、下側筐体６３Ｄ、前側筐体６３Ｆ、および後側筐体６３Ｒを有している。下側筐体６３Ｄ、前側筐体６３Ｆ、および後側筐体６３Ｒは、組み合わされることで、箱状となり、冷却ファン６１Ａ，６１Ｂ，６２Ａ，６２Ｂを内部に保持するように形成されている。
【００６６】
下側筐体６３Ｄは、図８に示すように、ファン収納部６３の下側を形成する。冷却ファン６１Ａ，６１Ｂ，６２Ａ，６２Ｂのうちの下側に位置する冷却ファン６２Ａ，６１Ｂは、この下側筐体６３Ｄにネジ固定される。
【００６７】
後側筐体６３Ｒは、ファン収納部６３の上側における後側（−Ｙ側）を形成する。上側に位置する冷却ファン６１Ａ，６２Ｂのうちの冷却ファン６１Ａは、この後側筐体６３Ｒにネジ固定される。また、後側筐体６３Ｒの上面には、冷却ファン６１Ａの吸気口６ｉを開口させる開口部６３２、および冷却ファン６２Ａの吸気口６ｉを開口させる開口部６３３が形成されている。
【００６８】
前側筐体６３Ｆは、ファン収納部６３の上側における前側（＋Ｙ側）を形成する。上側に位置する冷却ファン６１Ａ，６２Ｂのうちの冷却ファン６２Ｂは、この前側筐体６３Ｆにネジ固定される。また、前側筐体６３Ｆの上面には、冷却ファン６２Ｂの吸気口６ｉを開口させる開口部６３５、および冷却ファン６１Ｂの吸気口６ｉを開口させる開口部６３６が形成されている。
【００６９】
ファン収納部６３は、図８に示すように、−Ｘ側に流出面６３ＰＬが形成されている。流出面６３ＰＬは、第２位置における移動部８１に対向する平面であり、この流出面６３ＰＬには、冷却ファン６１Ａから吐出された空気が流出する流出口６３１Ａｅ、および冷却ファン６１Ｂから吐出された空気が流出する流出口６３１Ｂｅが形成されている。
【００７０】
また、流出口６３１Ａｅ，６３１Ｂｅは、図４に示すように、光源装置ユニット３０Ｌに設けられた後述する流入口９１２ａｉ、９１２ｂｉに対応して形成されている。また、流出口６３１Ａｅと流出口６３１Ｂｅとは、Ｙ方向（第１方向）から見て、Ｚ方向（第３方向）において少なくとも一部が重なるように配設されている。具体的に、流出口６３１Ａｅ，６３１Ｂｅは、Ｚ方向において、流出口６３１Ａｅが流出口６３１Ｂｅの上側に位置し、Ｙ方向から見て、流出口６３１Ａｅの下側と流出口６３１Ｂｅの上側とが重なるように形成されている。
また、流出面６３ＰＬは、＋Ｙ側に向かう程−Ｘ側となるように傾斜している。すなわち、流出面６３ＰＬは、光源装置ユニット３０Ｌが第１位置から第２位置に向かってスライドされる際に、対向する位置が奥側になる程、光源装置ユニット３０Ｌ側に飛び出すように、Ｙ方向（第１方向）に対し傾斜している。
【００７１】
図示は省略するが、ファン収納部６３の＋Ｘ側には、流出面６３ＰＲが形成され、この流出面６３ＰＲには、冷却ファン６２Ａ，６２Ｂそれぞれから吐出される空気が流出する２つの流出口が形成されている。この２つの流出口は、Ｙ方向（第１方向）から見て、Ｚ方向（第３方向）において少なくとも一部が重なるように配設されている。具体的に、Ｚ方向において、冷却ファン６２Ａに対応する流出口の上側と冷却ファン６２Ｂに対応する流出口の下側とが重なるように形成されている。
そして、流出面６３ＰＲは、＋Ｙ側に向かう程＋Ｘ側となるように傾斜している。すなわち、流出面６３ＰＲは、流出面６３ＰＬと同様に、光源装置ユニット３０Ｒが第１位置から第２位置に向かってスライドされる際に、対向する位置が奥側になる程、光源装置ユニット３０Ｒ側に飛び出すように、Ｙ方向（第１方向）に対し傾斜している。
【００７２】
回路基板６４は、冷却ファン６１Ａ，６１Ｂ，６２Ａ，６２Ｂと、制御部との電気的接続を中継する機能を有している。
回路基板６４は、図８に示すように、平面視矩形状に形成され、前側筐体６３Ｆの上面に形成された突起６３８にネジ固定される。回路基板６４には、冷却ファン６１Ａ，６１Ｂ，６２Ａ，６２ＢそれぞれのケーブルＣＡが接続され、回路基板６４からは図示しないケーブルが制御部の回路基板に接続されている。なお、回路基板６４は、開口部６３５，６３６の上方に位置するが、冷却ファン６１Ｂ，６２Ｂが冷却空気を取り込む能力を阻害しないように、開口部６３５，６３６から充分離間して配置されている。
【００７３】
〔保持部および流通装置の構成〕
ここで、保持部９Ｌ，９Ｒおよび流通装置８Ｌ，８Ｒについて詳細に説明する。保持部９Ｌおよび流通装置８Ｌ、そして、保持部９Ｒおよび流通装置８Ｒは、それぞれが光源装置支持具に相当する。また、光源装置支持具およびこの光源装置支持具に取り付けられる流路形成部４５０は光源カートリッジに相当する。
光源着脱ユニット３００Ｌと光源着脱ユニット３００Ｒとは、左右対称に構成されている。以下、保持部９Ｌ，９Ｒおよび流通装置８Ｌ，８Ｒについては、保持部９Ｌおよび流通装置８Ｌに注目して説明し、保持部９Ｒおよび流通装置８Ｒについては詳細な説明を省略または簡略化する。
【００７４】
先ず、保持部９Ｌについて説明する。
図９は、保持部９Ｌおよび流通装置８Ｌを説明するための図であり、（ａ）は、保持部９Ｌおよび保持部９Ｌから分離された流通装置８Ｌを示す斜視図、（ｂ）は保持部９Ｌに支持された状態の保持部９Ｌおよび流通装置８Ｌの−Ｙ側端部近傍の部分斜視図、（ｃ）は、保持部９Ｌに支持された状態の保持部９Ｌおよび流通装置８Ｌの＋Ｙ側端部近傍の部分斜視図である。
【００７５】
保持部９Ｌは、図４（ａ）、図５、図９に示すように、光源装置４１Ａ，４１Ｂを保持する保持本体部９１、および保持本体部９１の上側に配置されるカバー部９２を備える。光源装置４１Ａ，４１Ｂは、図５に示すように、保持本体部９１の−Ｘ側にネジを用いて取り付けられる。
保持本体部９１は、図９に示すように、下側を形成するベース部９１Ｘ、およびベース部９１Ｘの上側に設けられた上部形成部９１Ｙを有している。
【００７６】
ベース部９１Ｘは、光源装置４１Ａ，４１Ｂそれぞれにおける筐体本体部４４０が取り付けられる本体取付部９１１を有している。
本体取付部９１１は、図４（ａ）、図９（ａ）に示すように、Ｙ−Ｚ平面に沿って延出しており、光源装置４１Ａ，４１Ｂから射出された光がそれぞれ通過する孔９１１ｈが形成されている。
【００７７】
また、本体取付部９１１には、孔９１１ｈの下方および上方にガイド溝９１１ｇが形成されている。ガイド溝９１１ｇは、保持部９ＬがＹ方向（第１方向）に沿ってスライド可能に係合される係合部に相当する。ガイド溝９１１ｇは、Ｙ方向に沿って形成され、支持部７の突起部７１Ｌ（図４（ｂ）参照）が挿入されるように形成されている。光源着脱ユニット３００Ｌは、ガイド溝９１１ｇが突起部７１Ｌに案内されてＹ方向にスライドされる。具体的に、光源着脱ユニット３００Ｌは、先端側（＋Ｙ側）の上下のガイド溝９１１ｇに、支持部７の後端側（−Ｙ側）の上下の突起部７１Ｌが挿入されるように支持部７に載置され（第１位置）、＋Ｙ方向にスライドされて第２位置に位置付けられる。
【００７８】
上部形成部９１Ｙは、図９（ａ）に示すように、流通形成部９１２、後部形成部９１３、および前部形成部９１４を有している。
流通形成部９１２は、本体取付部９１１に対し−Ｘ側に凹み、Ｙ方向がＺ方向より長い長尺状に形成されている。流通形成部９１２は、−Ｘ側に光源装置４１Ａ，４１Ｂそれぞれにおける流路形成部４５０が取り付けられ、＋Ｘ側に流通装置８Ｌが取り付けられる。この流路形成部４５０は、光源装置４１Ａ，４１Ｂを交換する際も、流通形成部９１２に保持される。すなわち、光源装置４１Ａ，４１Ｂは、流路形成部４５０が保持部９Ｌに取り付けられた状態で、筐体本体部４４０の着脱が可能に構成されている。
流通形成部９１２は、＋Ｘ側にＹ−Ｚ平面に沿う平面９１２Ｐを有し、この平面９１２Ｐには、光源装置４１Ａ，４１Ｂそれぞれの流路４５Ｆに連通する流入口９１２ａｉ、９１２ｂｉが形成されている。
流入口９１２ａｉ、９１２ｂｉは、Ｘ方向（第２方向）に沿う＋Ｘ方向に開口している。
前述したファン収納部６３の流出口６３１Ａｅ，６３１Ｂｅ（図４参照）は、第２位置における流入口９１２ａｉ、９１２ｂｉに対向する側に開口している。
また、流入口９１２ａｉは、光源装置４１Ａの流路４５Ｆに連通し、流入口９１２ｂｉは、光源装置４１Ｂの流路４５Ｆに連通して形成されている。
【００７９】
なお、光源４１１が破損した場合に、破片が光源装置４１Ａ，４１Ｂの外部に飛散することを防ぐために、流路４５Ｆの入口４５ｉ（図６参照）に、メッシュ状の部材を配置してもよく、図９に示す流入口９１２ａｉ、９１２ｂｉから見える十字状の部材Ｍｈは、図示しないこのメッシュ状の部材を保持するための枠部材Ｍｈを示したものである。また、言うまでもなくメッシュ状の部材を配置しない構成においては、この枠部材Ｍｈも不要となる。
【００８０】
後部形成部９１３は、流通形成部９１２の後側（−Ｙ側）の端部から−Ｘ方向に延出しており、＋Ｘ側が平面９１２Ｐより凹んで形成されている。そして、この凹んだ部位には、＋Ｘ方向に延出する円柱状の支持ピン９１３ｓ、および支持ピン９１３ｓの上下に配置される一対のガイド軸９１３ｇが形成されている。
一対のガイド軸９１３ｇは、図９（ｂ）に示すように、外径が異なる２つの円柱状の軸部が中心軸方向に接続されるような形状を有し、先端側の軸部が基端側の軸部より外径が小さく形成されている。また、各ガイド軸９１３ｇには、中心にネジ穴が形成されている。
【００８１】
前部形成部９１４は、詳細な図は省略するが流通形成部９１２の前側（＋Ｙ側）の端部から−Ｘ方向に延出しており、＋Ｘ側が平面９１２Ｐより凹んで形成されている。そして、この凹んだ部位には、図９（ｃ）に示すように、後部形成部９１３における支持ピン９１３ｓおよび一対のガイド軸９１３ｇと同様の、支持ピン９１４ｓおよび一対のガイド軸９１４ｇが設けられている。
また、図示は省略するが、前部形成部９１４には、光源装置４１Ａ，４１Ｂに電力を供給するための入力端子が配置されている。
また、保持本体部９１には、図４（ａ）に示すように、光源装置４１Ａ，４１Ｂからの漏れ光を遮光する遮光板９３、および光源着脱ユニット３００Ｌが着脱される際に、ユーザーに把持される把持部９４が取り付けられている。
【００８２】
次に、流通装置８Ｌについて説明する。
流通装置８Ｌは、図９に示すように、移動部８１、付勢部としてのコイルバネ８２ｂ，８２ｆ、および弾性部材８３Ａ，８３Ｂを備える。
移動部８１は、流通形成部９１２の＋Ｘ側、すなわち、保持部９Ｌの光源装置４１Ａ，４１Ｂとは反対側に配置される。移動部８１は、流通形成部９１２と同様に、Ｙ方向がＺ方向より長い長尺状に形成されており、＋Ｘ側に平面８１Ｐを有し、Ｘ方向の厚みが−Ｙ側から＋Ｙ側に向かう程、薄くなる楔状に形成されている。すなわち、平面８１Ｐは、ファン収納部６３の流出面６３ＰＬと同様に、Ｙ−Ｚ平面に対して傾斜している。本実施形態の移動部８１は、第１位置において、平面８１Ｐが流出面６３ＰＬと略平行となるように形成されている。
そして、移動部８１には、Ｘ方向に貫通する通気孔８１ａｉ，８１ｂｉが形成されている。通気孔８１ａｉは、保持本体部９１の流入口９１２ａｉに連通する位置に形成され、通気孔８１ｂｉは、保持本体部９１の流入口９１２ｂｉに連通する位置に形成されている。
【００８３】
また、移動部８１には、図９（ｂ）に示すように、−Ｙ側端部に凸部８１１および一対のガイド部８１２が設けられ、図９（ｃ）に示すように、＋Ｙ側端部に凸部８１３および一対のガイド部８１４が形成されている。
凸部８１１は、保持本体部９１の支持ピン９１３ｓに対向する位置に形成されており、支持ピン９１３ｓに支持されるコイルバネ８２ｂが当接する。凸部８１３は、保持本体部９１の支持ピン９１４ｓに対向する位置に形成されており、支持ピン９１４ｓに支持されるコイルバネ８２ｆが当接する。
【００８４】
一対のガイド部８１２は、凸部８１１の上下に形成され、それぞれがＵ字状の孔およびこの孔の周縁に形成されたＵ字状の凹部を有している。このＵ字状の孔は、ガイド軸９１３ｇにおける先端側の軸部が挿入される大きさに形成され、Ｕ字状の凹部は、ガイド軸９１３ｇのネジ穴に挿入されたネジＮｅの頭が係合する大きさに形成されている。
一対のガイド部８１４は、凸部８１３の上下に形成され、それぞれがガイド部８１２と同様のＵ字状の孔、およびＵ字状の凹部を有している。このＵ字状の孔は、ガイド軸９１４ｇにおける先端側の軸部が挿入される大きさに形成され、Ｕ字状の凹部は、ガイド軸９１４ｇのネジ穴に挿入されたネジＮｅの頭が係合する大きさに形成されている。
【００８５】
移動部８１は、支持ピン９１３ｓ，９１４ｓにコイルバネ８２ｂ，８２ｆが支持された状態で、ガイド部８１２，８１４それぞれのＵ字状の孔にガイド軸９１３ｇ，９１４ｇが挿入され、ガイド軸９１３ｇ，９１４ｇのネジ穴にネジＮｅが挿入されて保持本体部９１に支持される。
コイルバネ８２ｂ，８２ｆは、Ｘ方向（第２方向）において、移動部８１を保持部９Ｌから離間する方向（＋Ｘ方向）に付勢する。
コイルバネ８２ｂ，８２ｆによって付勢された移動部８１は、ガイド軸９１３ｇ，９１４ｇのネジ穴に挿入されたネジＮｅの頭によって、所定以上＋Ｘ方向に移動しないように構成されている。そして、移動部８１は、コイルバネ８２ｂ，８２ｆの付勢力に抗する力が加えられると、ガイド軸９１３ｇ，９１４ｇに案内されて−Ｘ方向に移動する。
【００８６】
弾性部材８３Ａ，８３Ｂは、図９（ａ）に示すように、環状に形成されており、流通形成部９１２と移動部８１との間に配置され、一方の端部が通気孔８１ａｉ，８１ｂｉの周縁を囲み、他方の端部が流入口９１２ａｉ，９１２ｂｉの周縁を囲むように形成されている。そして、弾性部材８３Ａ，８３Ｂは、連通する通気孔８１ａｉ，８１ｂｉと流入口９１２ａｉ，９１２ｂｉとの間の空気の漏れを抑制する。本実施形態の弾性部材８３Ａ，８３Ｂは、粘着材を介して流入口９１２ａｉ，９１２ｂｉの周縁に取り付けられ、流通装置８Ｌが光源装置ユニット３０Ｌに取り付けられた状態で移動部８１に当接するように形成されている。なお、弾性部材８３Ａ，８３Ｂを通気孔８１ａｉ，８１ｂｉの周縁に取り付けるように構成してもよい。
【００８７】
図１０は、光源着脱ユニット３００Ｌが着脱される際の流通装置８Ｌの動作を説明するための模式図である。具体的に、図１０（ａ）は、冷却装置６、および光源着脱ユニット３００Ｌの第１位置および第２位置における移動部８１、流通形成部９１２を示す断面図、図１０（ｂ）は、図１０（ａ）におけるＡ部の拡大図、図１０（ｃ）は、図１０（ａ）におけるＢ部の拡大図である。なお、図１０（ａ）は、第１位置における移動部８１を二点鎖線で示し、第２位置における移動部８１を実線で示した図である。
【００８８】
流通装置８Ｌは、図１０（ａ）に示すように、光源着脱ユニット３００Ｌの第１位置において、移動部８１がファン収納部６３から離間した状態となる。ファン収納部６３の流出面６３ＰＬ、移動部８１の平面８１Ｐは、前述したように傾斜し、かつ略平行となるよう形成されているので、光源着脱ユニット３００Ｌが第１位置から＋Ｙ方向にスライドされると、移動部８１は、次第にファン収納部６３に近づき第２位置に至る前にファン収納部６３に当接する。さらに光源着脱ユニット３００Ｌが＋Ｙ方向にスライドされると、移動部８１がコイルバネ８２ｂ，８２ｆ（図９（ｂ）、（ｃ）参照）の付勢力に抗して−Ｘ方向に移動し、光源着脱ユニット３００Ｌは、図１０に示すように、第２位置に位置付けられる。
図示は省略するが、第２位置に位置付けられた光源着脱ユニット３００Ｌは、ネジ固定されて位置が維持される。
【００８９】
第２位置において、移動部８１は、図１０（ｂ）、（ｃ）に示すように、通気孔８１ａｉ，８１ｂｉが流出口６３１Ａｅ，６３１Ｂｅと流入口９１２ａｉ，９１２ｂｉとを連通させる。
また、弾性部材８３Ａ，８３Ｂは、第２位置において、図１０（ｂ）、（ｃ）に示すように、移動部８１に押圧されて圧縮し、通気孔８１ａｉ，８１ｂｉの周縁と流入口９１２ａｉ，９１２ｂｉの周縁との間の隙間を確実に埋める。
このように、流通装置８Ｌは、第２位置において、移動部８１が光源装置ユニット３０Ｌとファン収納部６３との間に配置され、通気孔８１ａｉ，８１ｂｉが流出口６３１Ａｅ，６３１Ｂｅと流入口９１２ａｉ，９１２ｂｉとを連通させることにより、流出口６３１Ａｅ，６３１Ｂｅから流出する空気を漏れを抑制して光源装置ユニット３０Ｌに流通させる。
【００９０】
そして、冷却ファン６１Ａから送風された空気は、流出口６３１Ａｅ、通気孔８１ａｉ、および流入口９１２ａｉを通過して、光源装置４１Ａの流路４５Ｆに流入する。同様に、冷却ファン６１Ｂから送風された空気は、流出口６３１Ｂｅ、通気孔８１ｂｉ、および流入口９１２ｂｉを通過して、光源装置４１Ｂの流路４５Ｆに流入する。
【００９１】
図６に戻って、光源装置４１Ｂの流路４５Ｆに流入した空気は、流路形成部４５０から筐体本体部４４０内の上側に流入する。筐体本体部４４０内の上側に流入した空気は、内部の部材により分岐され、多くが発光管４１１ａの上側に向けて送風され、残りが一方の封止部の先端（電極４１１ｂ）に向けて送風される。
光源装置４１Ａの流路４５Ｆに流入した空気は、光源装置４１Ｂの流路４５Ｆに流入した空気と同様に、発光管４１１ａの上側および一方の封止部の先端に向けて送風される。
そして、光源装置４１Ａ，４１Ｂの光源４１１を冷却して暖まった空気は、リフレクター４１２および筐体本体部４４０にそれぞれ形成された通気孔（図示省略）を介して光源用筐体４３０外部に流出し、図示しない排気ファンによって外装筐体２外部に排出される。
【００９２】
また、第２位置に位置付けられた光源着脱ユニット３００Ｌは、ネジが緩められることにより第１位置の方向（−Ｙ方向）にスライド可能となる。光源着脱ユニット３００Ｌは、第２位置から−Ｙ方向にスライドされると、コイルバネ８２ｂ，８２ｆに付勢されている移動部８１は、ファン収納部６３の流出面６３ＰＬに応じて次第に＋Ｘ方向に移動する。そして、移動部８１は、ネジＮｅ（図９（ｂ）、（ｃ）参照）によって所定以上の移動が規制されているので、第１位置に至る前にファン収納部６３から離間し、光源着脱ユニット３００Ｌは、さらに−Ｙ方向にスライドされると、図１０（ａ）の二点鎖線に示すように第１位置に位置付けられ、支持部７からの取り外しが可能となる。支持部７から取り外された光源着脱ユニット３００Ｌは、保持部９Ｌから光源装置４１Ａ，４１Ｂの取り外しが可能となる。
【００９３】
このように、光源装置４１Ａ，４１Ｂを有する光源着脱ユニット３００Ｌは、Ｙ方向（第１方向）にスライドされることにより支持部７に着脱され、Ｘ方向（第２方向）に沿う＋Ｘ方向から送風される空気によって光源４１１が冷却される。同様に、光源装置４２Ａ，４２Ｂを有する光源着脱ユニット３００Ｒは、Ｙ方向（第１方向）にスライドされることにより支持部７に着脱され、Ｘ方向（第２方向）に沿う−Ｘ方向から送風される空気によって光源４１１が冷却される。
【００９４】
以上説明したように、本実施形態によれば、以下の効果を得ることができる。
（１）照明装置３１は、冷却装置６から送風される空気の漏れを抑制し、光源装置ユニット３０Ｌ，３０Ｒに送風することが可能となる。よって、光源装置ユニット３０Ｌ，３０Ｒが着脱されるためにスライドされる方向と、冷却装置６から送風される空気の方向とが交差する方向となる構成を有し、冷却装置６が送風する空気を有効に利用して光源４１１を冷却することが可能な照明装置３１を提供することができる。
また、移動部８１は、光源着脱ユニット３００Ｌ，３００Ｒがスライドされることで移動するので、プロジェクター１内に移動部８１を移動させるための機構や操作部を設ける必要がない。また、移動部８１は、照明装置３１の外側に飛び出すことなく、移動量が小さくても上述した効果を奏することが可能となる。よって、プロジェクター１内における照明装置３１の周囲の構造に制約を与えることなく、プロジェクター１の大型化を抑制した照明装置３１を提供することが可能となる。
【００９５】
（２）プロジェクター１は、照明装置３１を備えるので、冷却装置６から送風される空気の方向と光源着脱ユニット３００Ｌ，３００Ｒが着脱される方向とが交差する方向となる構成を有すると共に、光源４１１の劣化が抑制されるので、長期に亘る画像の投写が可能となる。
【００９６】
（３）流通装置８Ｌ，８Ｒは、弾性部材８３Ａ，８３Ｂを備えるので、流出口６３１Ａｅ，６３１Ｂｅと、流入口９１２ａｉ，９１２ｂｉとの間の隙間をさらに抑制することが可能となる。よって、冷却装置６が送風する空気をさらに有効に利用して光源４１１を冷却することが可能となる。
【００９７】
（４）流通装置８Ｌ，８Ｒは、光源装置ユニット３０Ｌ，３０Ｒに支持され、ファン収納部６３の流出面６３ＰＬ，６３ＰＲは前述したように傾斜している。これによって、移動部８１を滑らかに移動させることができるので、光源装置ユニット３０Ｌ，３０Ｒを第１位置と第２位置との間で滑らかにスライドさせることが可能となる。
【００９８】
（５）光源装置ユニット３０Ｌ，３０Ｒは、保持部９Ｌ，９Ｒを備え、保持部９Ｌ，９Ｒには、支持部７に対してスライド可能とするガイド溝９１１ｇが形成されている。これによって、必要以上に強度を高めることなく、また複雑な形状を抑制して光源用筐体４３０を形成することが可能となる。
【００９９】
（６）照明装置３１は、光源装置４１Ａ，４１Ｂ，４２Ａ，４２Ｂを備えているので、より明るい光を射出することができる。また、保持部９Ｌ，９Ｒに形成された流入口、移動部８１に形成された通気孔、およびファン収納部６３に形成された流出口は、光源装置４１Ａ，４１Ｂ，４２Ａ，４２Ｂそれぞれに対応して複数設けられているので、光源装置４１Ａ，４１Ｂ，４２Ａ，４２Ｂにそれぞれ同様に空気を送風し、各光源４１１を同様に冷却することが可能となる。
また、冷却装置６は、各光源装置に対応する４つの冷却ファン６１Ａ，６１Ｂ，６２Ａ，６２Ｂを備えているので、各光源装置をより効率的に冷却することが可能となる。
【０１００】
（７）流出面６３ＰＬに形成された流出口６３１Ａｅ，６３１Ｂｅは、前述したように、Ｙ方向から見てＺ方向において少なくとも一部が重なるように配設されている。また、流出面６３ＰＲに形成された流出口もＹ方向から見てＺ方向において少なくとも一部が重なるように配設されている。これによって、光源装置４１Ａ，４１Ｂ，４２Ａ，４２ＢのＺ方向における配置位置に対応して光源装置４１Ａ，４１Ｂ，４２Ａ，４２Ｂにそれぞれ同様に空気を送風することが可能となる。
また、流出口６３１Ａｅ，６３１Ｂｅ、流出面６３ＰＲに形成された流出口の周縁に突出部を設ける必要が無く空気の漏れを抑制することができるので、流出口６３１Ａｅ，６３１Ｂｅの配設自由度、すなわち光源装置４１Ａ，４１Ｂ，４２Ａ，４２Ｂの配置位置の自由度を高め、冷却装置６が送風する空気を有効に利用して各光源４１１を冷却できる照明装置３１の提供が可能となる。
【０１０１】
（８）照明装置３１は反射部５を備えるので、光源装置ユニット３０Ｌ，３０Ｒから射出された光の方向を変えて照明装置３１外へ射出することができる。
【０１０２】
（９）冷却ファン６１Ａ，６１Ｂ，６２Ａ，６２Ｂは、シロッコファンで構成されている。シロッコファンは、軸流ファンに比べて吐出する冷却空気の吐出圧が高いので、光源装置４１Ａ，４１Ｂ，４２Ａ，４２Ｂに空気を集中して送風することができる。
【０１０３】
（変形例）
なお、前記実施形態は、以下のように変更してもよい。
前記実施形態の照明装置３１は、流通装置８Ｌ，８Ｒが光源装置ユニット３０Ｌ，３０Ｒに支持されるように構成されているが、流通装置が冷却装置の流出部に支持される照明装置を構成してもよい。この構成の場合、移動部が光源装置ユニットに対向する平面を有し、この平面に通気孔が形成されることとなる。そして、光源装置ユニットが第１位置から第２位置に向かってスライドされる際に、対向する位置が奥側になる程、光源装置ユニット側に飛び出すように、この平面を第１方向に対して傾斜するように構成してもよい。
【０１０４】
前記実施形態の光源装置ユニット３０Ｌ，３０Ｒは、それぞれが２つの光源装置を備えて構成されているが、２つ以外の数の光源装置を備える構成であってもよい。また、光源装置ユニットが１つの光源装置を備える構成においては、保持部を備えない構成とし、支持部にスライド可能に係合する係合部を光源用筐体に設け、光源用筐体における流路の入口を流入口として構成する態様であってもよい。
【０１０５】
前記実施形態の流出面６３ＰＬ，６３ＰＲは、Ｙ方向（第１方向）に対して傾斜しているが、移動部の流出面側の先端がＲ面等に形成されていれば、第１方向に沿う面であってもよい。特に光源装置ユニットが１つの光源装置を備える構成等、第１方向が短く構成された光源装置ユニットにおいては、スライド量が小さいので、この態様が可能となる。
【０１０６】
前記実施形態の照明装置３１は、２つの光源着脱ユニット３００Ｌ，３００Ｒを備えているが、１つの光源着脱ユニットを備える構成であってもよい。
【０１０７】
前記実施形態の照明装置３１は、光源４１１の光軸がＸ方向（第２方向）に沿うように配置されているが、光源４１１の光軸がＹ方向（第１方向）に沿うように配置される態様であってもよい。また、反射部５を備えない構成であってもよい。
【０１０８】
本実施形態の光源装置ユニット３０Ｌ，３０Ｒは、プロジェクター１の背面側から着脱されるように構成されているが、この構成に限らず、例えば、側面側や底面側、あるいは上面側から着脱されるように構成してもよい。側面側から着脱される構成においては、Ｘ方向が第１方向となり、底面側あるいは上面側から着脱される構成においては、Ｚ方向が第１方向となる。
【０１０９】
前記実施形態の流出口６３１Ａｅ，６３１Ｂｅは、Ｙ方向（第１方向）から見て、Ｚ方向（第３方向）において少なくとも一部が重なるように配設されているが、この態様に限らない。すなわち、流出口６３１Ａｅ，６３１ＢｅがＹ方向（第１方向）から見て、Ｚ方向（第３方向）において、略全てが重なる、すなわち、Ｚ方向（第３方向）に略同じ位置に配設される構成であってもよい。また、Ｙ方向（第１方向）から見て、Ｚ方向（第３方向）において、流出口６３１Ａｅ，６３１Ｂｅが重ならないように、ずれて配設されてもよい。流出面６３ＰＲに形成された２つの流出口についても同様である。
【０１１０】
前記実施形態の移動部８１と弾性部材８３Ａ，８３Ｂとを一体化し、弾性部材８３Ａ，８３Ｂの硬度より高い硬度の弾性部材で形成し、この部材の流出面６３ＰＬ，６３ＰＲ側に滑性が良好な部材等を設けるように構成してもよい。
【０１１１】
前記実施形態の流通装置８Ｌ，８Ｒは、付勢部としてコイルバネ８２ｂ，８２ｆを備えているが、これに限らず、付勢部として板バネ等を備える構成であってもよい。
【０１１２】
前記実施形態の冷却装置６は、各光源装置４１Ａ，４１Ｂ，４２Ａ，４２Ｂに対応する４つの冷却ファン６１Ａ，６１Ｂ，６２Ａ，６２Ｂを備えているが、光源装置の数と冷却ファンの数とが異なるように構成してもよい。
【０１１３】
前記実施形態の光源用筐体４３０は、分離して着脱可能な筐体本体部４４０と流路形成部４５０とを有して構成されているが、１つのユニットとして着脱可能となるように光源用筐体を構成してもよい。
【０１１４】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【０１１５】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【符号の説明】
【０１１６】
１…プロジェクター、２…外装筐体、３…光学ユニット、５…反射部、６…冷却装置、７…支持部、８Ｌ，８Ｒ…流通装置（光源装置支持具、光源カートリッジ）、９Ｌ，９Ｒ…保持部（光源装置支持具、光源カートリッジ）、３０Ｌ，３０Ｒ…光源装置ユニット、３１…照明装置、３６…投写レンズ（投写光学装置）、４１Ａ，４１Ｂ，４２Ａ，４２Ｂ…光源装置、４１Ａｘ，４１Ｂｘ，４２Ａｘ，４２Ｂｘ…光軸、４５Ｆ…流路、６１Ａ，６１Ｂ，６２Ａ，６２Ｂ…冷却ファン、６３…ファン収納部（流出部）、６３ＰＬ，６３ＰＲ…流出面、８１…移動部、８１Ｐ…平面、８１ａｉ，８１ｂｉ…通気孔、８２ｂ，８２ｆ…コイルバネ（付勢部）、８３Ａ，８３Ｂ…弾性部材、３００Ｌ，３００Ｒ…光源着脱ユニット、３５１，３５１Ｂ，３５１Ｇ，３５１Ｒ…光変調装置、４１１…光源、４３０…光源用筐体、４５０…流路形成部（光源カートリッジ）、６３１Ａｅ，６３１Ｂｅ…流出口、９１１ｇ…ガイド溝（係合部）、９１２ａｉ，９１２ｂｉ…流入口。
【図１】
2017009816.tif 000003
【図２】
2017009816.tif 000004
【図３】
2017009816.tif 000005
【図４】
2017009816.tif 000006
【図５】
2017009816.tif 000007
【図６】
2017009816.tif 000008
【図７】
2017009816.tif 000009
【図８】
2017009816.tif 000010
【図９】
2017009816.tif 000011
【図１０】
2017009816.tif 000012